(57)【特許請求の範囲】
【請求項１】
扇状の平板素材を所定角度の部分扇状ごとに部分曲げ加工し上記平板素材をロール幅方向に送って上述の部分曲げ加工を繰り返すことによって、上記平板素材からテーパー管素形材を曲げ加工するようにした曲げロール装置において、
三角形の各頂点の位置に相互に平行に配置され、２本の下側ロール（１１、１２）と１本の上側ロール（１３）の間に上記平板素材（３０）が載置され、回転・逆転されることによって上記平板素材（３０）に対して上記部分曲げ加工を行う３本のロール（１１、１２、１３）と、
前面が凹状をなして左右２つの当り部（１９Ａ）が形成され、上記ロール一端側の上側ロール軸線を通る垂直平面上又はその近傍に起立姿勢と退避姿勢との間で回動可能に設けられ、その起立姿勢において上記平板素材（３０）の小径側の円弧状端縁と当接して位置決めする位置決め部材（１９）と、
上記ロール他端側の下側ロール軸線よりもロール幅方向外側に下側ロール軸線方向に進退自在に設けられ、上記平板素材（３０）の大径側の円弧状端縁を上記位置決め部材（１９）に向けて押して上記平板素材（３０）の小径側の円弧状端縁を位置決め部材（１９）に当接させる左右の押し部材（１４、１５）と、
上記位置決め部材（１９）を起立姿勢に回動させ退避姿勢に逆回動させる回動駆動手段（２１）と、
上記押し部材（１４、１５）を進退させる進退駆動手段（１７）と、
上記上側ロール（１３）と下側ロール（１１、１２）を相対的に上下動させ、上記平板素材（３０）の上記上側ロール（１３）と下側ロール（１１、１２）の間への挿入を許容し挟持させる上下駆動手段（２１）と、
上記３本のうち、少なくとも２本のロール（１１、１２、１３）を回転・逆転駆動するロール駆動手段と、
を備えたことを特徴とする曲げロール装置。
【発明の詳細な説明】
【技術分野】
【０００１】
本発明は曲げロール装置に関し、特に扇状の平板素材をテーパー管素形材に高精度に曲げ加工できるようにした装置に関する。
【背景技術】
【０００２】
鋼管などの金属管は支柱などの構造物や機械設備に広く使用されているが、最近は直管に代え、管径を連続的に変化させたテーパー管が使用されるようになってきた。
【０００３】
従来、台形状の平板素材をＵ−Ｏプレス加工によって環状に成形し、突き合わせ端縁を溶接することによってテーパー管を製造する加工方法が提案されているが（特許文献１）、テーパー管に複数の曲げ痕が残ってしまうことがあった。
【０００４】
また、３本のロールを三角形の各頂点の位置に配置するとともに、下側２本のロールの一端側の間隔を他端側の間隔に比較して小さく設定する一方、各ロールは長手方向に複数に分割し、一端側のロール部分は低速で、他端側のロール部分は高速で駆動し、一端側と他端側の中間のロール部分を従動させ、２本の下側ロールと１本の上側ロールとの間に、扇状の平板素材をセットし、一端側にて平板素材の小径部分を加工し、高速部分で平板素材の大径部分を加工し、小径部分から大径部分にかけて径を次第に増加させ、テーパー管素形を曲げ加工する曲げロール装置が提案されている（特許文献２）。しかし、この曲げロール装置では複数の分割ロールによって曲げ加工しているので、テーパー管素形材の表面に段差ができやすかった。
【０００５】
他方、本件出願人は、３本のロールを三角形の各頂点の位置に相互に平行に配置し、前後一対のパッドを２本の下側ロールのロール幅方向外側に配置し、扇状の平板素材を四隅のパッドで挟んで平板素材を位置決めした後、四隅のパッドを後退させ、平板素材の所定角度の部分扇状部分を３本のロールで円弧状に部分曲げ加工し、この素材をロール幅方向に送って上述の操作を繰り返すことによって、テーパー管素形材を曲げ加工するようにした曲げロール装置を提案するに至った（特許文献３）。
【先行技術文献】
【特許文献】
【０００６】
【特許文献１】特開昭５５−１００８１６号公報
【特許文献２】特開２００７−１５０１４号公報
【特許文献３】特開２００６−１５９２５１号公報
【発明の開示】
【発明が解決しようとする課題】
【０００７】
しかし、特許文献３記載の曲げロール装置では部分曲げ加工の開始時に中央の上側ロールと送り出し側の前後一対のパッドとの間の距離だけロール曲げ加工ができず、扇状の平板素材の始端部の大きな角度範囲をプレスによって曲げ加工する必要があり、依然としてテーパー管素形材の端部に大きな幅で曲げ痕が残るという問題があった。
【０００８】
本発明はかかる問題点に鑑み、端部曲げ痕をほとんど残すことなく、テーパー管素形材を高精度に曲げ加工できるようにした曲げロール装置を提供することを課題とする。
【課題を解決するための手段】
【０００９】
そこで、本発明に係る曲げロール装置は、扇状の平板素材を所定角度の部分扇状ごとに部分曲げ加工し上記平板素材をロール幅方向に送って上述の部分曲げ加工を繰り返すことによって、上記平板素材からテーパー管素形材を曲げ加工するようにした曲げロール装置において、三角形の各頂点の位置に相互に平行に配置され、２本の下側ロールと１本の上側ロールの間に上記平板素材が載置され、回転・逆転されることによって上記平板素材に対して上記部分曲げ加工を行う３本のロールと、前面が凹状をなして左右２つの当り部が形成され、上記ロール一端側の上側ロール軸線を通る垂直平面上又はその近傍に起立姿勢と退避姿勢との間で回動可能に設けられ、その起立姿勢において上記平板素材の小径側の円弧状端縁と当接して位置決めする位置決め部材と、上記ロール他端側の下側ロール軸線よりもロール幅方向の外側に下側ロール軸線方向に進退自在に設けられ、上記平板素材の大径側の円弧状端縁を上記位置決め部材に向けて押して上記平板素材の小径側の円弧状端縁を位置決め部材に当接させる左右の押し部材と、上記位置決め部材を起立姿勢に回動させ退避姿勢に逆回動させる回動駆動手段と、上記押し部材を進退させる進退駆動手段と、上記上側ロールと下側ロールを相対的に上下動させ、上記平板素材の上記上側ロールと下側ロールの間への挿入を許容し挟持させる上下駆動手段と、上記３本のうち、少なくとも２本のロールを回転方向・逆転方向に駆動するロール駆動手段と、を備えたことを特徴とする。
【００１０】
本発明の特徴の１つは前面を凹状となして左右２つの当り部を形成した位置決め部材を用い、この位置決め部材を上側ロール軸線を通る垂直平面上又はその近傍に設けるようにした点にある。
【００１１】
これにより、扇状の平板素材の始端部を送り出し側の下側ロールに載る程度送り込むと、位置決め部材の２つの当り部と送り込み側の押し部材の３点によって扇状の平板素材を位置決めでき、３本のロールを回転・逆転させることによって扇状の平板素材に対して部分曲げ加工を行うことができ、例えばプレスによって曲げ加工する範囲は小さく、平板素材の端部曲げ痕はほとんど残らない。
【００１２】
また、本発明の第２の特徴は平板素材を部分曲げ加工した後、平板素材を所定角度だけ送り込んで位置決め部材の２つの当り部と左右の下側ロール外側の押し部材の４点によって扇状の平板素材を位置決めして部分曲げ加工するようにした点にある。
【００１３】
これにより、所定角度ずつの送り込み、４点による位置決め及び部分曲げ加工を繰り返すことによって、平板素材に対してテーパー管素形材に高精度の部分曲げ加工を行うことができ、テーパー状素材の突き合わせ端縁を溶接することによって高精度のテーパー管を製造することができる。
【図面の簡単な説明】
【００１４】
【図１】本発明に係る曲げロール装置の好ましい実施形態を示す概略平面構成図である。
【図２】上記実施形態を示す概略側面構成図である。
【図３】上記実施形態を示す概略正面構成図である。
【図４】上記実施形態における位置決め部材を示す平面図である。
【図５】上記実施形態の曲げ作業を模式的に示す図である。
【図６】上記実施形態において用いる平板素材の端部の曲げロール装置を示す概略平面図である。
【図７】上記端部の曲げロール装置におけるロール構造の例を示す図である。
【図８】上記端部の曲げ動作を模式的に示す図である。
【図９】扇状の平板素材を示す平面図である。
【発明を実施するための形態】
【００１５】
以下、本発明を図面に示す具体例に基づいて詳細に説明する。図１ないし図５は本発明に係る曲げロール装置の好ましい実施形態を示す。図において、装置フレーム１０上には２本の下側ロール１１、１２が相互に平行にレイアウトされて軸受によって回転可能に軸支される一方、２本の下側ロール１１、１２のロール幅方向中央の上方には１本の上側ロール１３がレイアウトされて軸受によって回転可能に軸支されており、３本のロール１１〜１３は三角形の各頂点の位置に配置されるようになっている。
【００１６】
これらのロール１１〜１３は図示しないが、駆動モータと減速ギア群などの駆動装置（回転駆動手段）によって回転・逆転駆動されるように設けられ、又上側１本のロール１３は油圧シリンダ（上下駆動手段）２４によって上下駆動されるとともに、平板素材３０に対する曲げ荷重が設定されるようになっている。
【００１７】
また、装置フレーム１０のロール１１、１２の一端側には左右一対の押し部材１４、１５が設けられてブラケット１６に支持されている。この押し部材１４、１５は図１に示されるように、下側ロール１１、１２のロール軸線よりもロール幅方向外側に配置され、装置フレーム１０の下部中央には油圧シリンダ（進退駆動手段）１７が長手方向に設けられ、ブラケット１６を押し引きして押し部材１４、１５の位置を変更できるようになっている。この押し部材１４、１５の前面は扇状の平板素材３０の大径側の円弧状端縁と線接触し得るように傾斜面に形成されている。なお、押し部材１４、１５を設ける位置は平板素材３０を安定に押す上で、ロール軸線の垂直平面上又はそのロール幅方向外側であればよい。
【００１８】
また、ブラケット１６にはアダプタ１８が下方位置と跳ね上げ位置との間で回動可能に設けられ、図示しない油圧シリンダによって回動されるようになっている。
【００１９】
他方、装置フレーム１０のロール１１、１２の他端側には位置決め部材１９が設けられてロール軸線方向に沿って回動可能なブラケット２０に支持され、ブラケット２０は油圧シリンダ（回動駆動手段）２１によって起立姿勢と退避姿勢との間で回動されるように設けられ、又位置決め部材１９の前面は凹状に形成され、起立姿勢において左右の２ヶ所の当り部１９Ａで扇状の平板素材３０の小径側の円弧状端縁と当接し、退避姿勢において平板素材３０のロール幅方向への移動を許容するようになっている。
【００２０】
また、図６ないし図９は平板素材３０の端部の曲げロール装置の例を示す。図において、装置フレーム（図示せず）には端部曲げロール５０が回転自在に軸支され、端部曲げロール５０の外側面には複数のコ字状ホルダー５０Ａが長手方向に伸びかつ円周方向に間隔をあけて嵌め込まれている。
【００２１】
端部曲げロール５０の下側には受けプレート５２がレイアウトされて受けロール５５によってスライド可能に支持され、受けプレート５２上には支持ロール５１が搭載され、左右のジャッキ５４によって傾斜角度を調整できるようになっている。
【００２２】
扇状の平板素材３０を用いてテーパー管素形材を製造する場合、図１に示されるように、上側ロール１３を上昇させ、この上側ロール１３と２本の下側ロール１１、１２の間に平板素材３０の端部を差し込み、平板素材３０の始端部を送り出し側の下側ロール１１上に載せ、その状態で油圧シリンダ１７を収縮させて押し部材１４、１５を前進させるとともに、油圧シリンダ２１を伸長させて位置決め部材１９を起立させ、送り込み側の位置決め部材１５と押し部材１９の２つの当り部１９Ａの３点の間に平板素材３０を挟み込むと、平板素材３０はその頂点を通って平板素材３０の径方向に伸びる直線が上側ロール１３のロール軸線を通る垂直平面に位置するように位置決めされる。
【００２３】
次に、上側ロール１３を下降させて平板素材３０を２本の下側ロール１１、１２との間に挟み、押し部材１４、１５を後退させ、位置決め部材１９を逆回動させ、上側ロール１３に所定の曲げ荷重を加え、ロール１１〜１３を回転させ逆転させると、図５（但し、図５では便宜上、押し部材１４、１５が上側ロール１３のロール外側で、下側ロール１１、１２のロール内側に位置させた例が図示されている）に示されるように、平板素材３０が頂点を通って平板素材３０の径方向に伸びる直線を上側ロール１３の中心軸線上に位置させた状態を維持したまま、ロール幅方向の一方向に送られ、逆方向に戻され、この作動が繰り返され、これによって平板素材３０の所定角度の扇状部分がテーパー状に部分曲げ加工される。
【００２４】
その後、上側ロール１３を上昇させて平板素材２０の次の所定角度の部分を送り込み、押し部材１４、１５を前進させ、位置決め部材１９を起立させ、上記と同様に３本のロール１１〜１３を回転・逆転させることによって部分曲げ加工が行われ、同様にして部分曲げ加工を行うと、テーパー管素形材が得られる。
【００２５】
ところで、扇状の平板素材３０については始端部３０Ａに対して部分曲げ加工がし難い。そこで、本例では図６ないし図９に示される端部の曲げロール装置を用い、上述の部分曲げ加工を行う前に、始端部３０Ａの曲げ加工を行うようにしている。
【００２６】
この端部の曲げロール装置では端部曲げロール５０のホルダー５０Ａに扇状の平板素材３０の始端を嵌め込み、平板素材３０を支持ロール５１上に搭載する。また、ジャッキ５１を伸縮させて支持ロール５１の傾斜角度を設定する。例えば、扇状の平板素材３０の頂角αが大きいときには支持ロール５１の傾斜角度を大きく、頂角αが小さいときには支持ロール５１の傾斜角度を小さく設定する。
【００２７】
こうして準備が済むと、端部曲げロール５０を回転させると、図８に示されるように、端部曲げロール５０の回転に伴って支持ロール５１が受けプレート５２とともに端部曲げロール５０に接近し、平板素材３０の始端部３０Ａは次第に丸く曲げられるが、平板素材３０の小径側端縁は傾斜された支持ローラ５１によって小さな曲率半径でもって大きく曲率に曲げられ、大径側端縁は大きな曲率半径でもって小さな曲率に曲げられるので、始端部３０Ａはテーパー状に部分曲げされ、こうして始端部３０Ａが曲げ加工された平板素材３０を図１ないし図４に示される曲げロール装置によって部分曲げ加工を繰り返すことによって高精度のテーパー管素形材が得られる。
【００２８】
後はテーパー管素形材を取り出し、突き合わせ端縁を溶接すると、高精度のテーパー管が得られる。
【００２９】
なお、上記の例では端部の曲げロール装置を用いて始端部の曲げ加工を行ったが、プレスによって始端部の曲げ加工を行っても、始端部の幅が小さいので、曲げ痕が残る可能性は少ない。
【符号の説明】
【００３０】
１０    装置フレーム
１１、１２      下側ロール
１３    上側ロール
１４、１５      押し部材
１７    油圧シリンダ（進退駆動手段）
１９    位置決め部材
２１    油圧シリンダ（回動駆動手段）
２４    油圧シリンダ（上下駆動手段）
３０    平板素材
３０Ａ    始端部
【図１】
0006336372.tif 000002
【図２】
0006336372.tif 000003
【図３】
0006336372.tif 000004
【図４】
0006336372.tif 000005
【図５】
0006336372.tif 000006
【図６】
0006336372.tif 000007
【図７】
0006336372.tif 000008
【図８】
0006336372.tif 000009
【図９】
0006336372.tif 000010